(57)【要約】      （修正有）【課題】美観を損ねず、衣類や展示の演出に合ったディスプレイを容易かつ迅速に行うことが可能なディスプレイ構造を提供する。【解決手段】上壁１０と下方拡径状の円周壁１１とを有するキャップ部材１を、頭部を省略された人体を象った被取付体Ｍの首部Ｍａに、上方から覆うように着脱自在に取着する。キャップ部材１の雄ネジ部２１は、被取付体Ｍの首部Ｍａの上面ａに形成されている雄ネジ部２２に螺合可能なものである。キャップ部材１の雄ネジ部２１と被取付体Ｍの雄ネジ部２２とは、共働きして（螺号して）被取付体Ｍからキャップ部材１が脱落するのを防止するものである。【選択図】図１
0003142423.tif 000002
【実用新案登録請求の範囲】
【請求項１】
上壁（10）と下方拡径状の円周壁（11）とを有するキャップ部材（１）を、頭部を省略された人体を象った被取付体（Ｍ）の首部（Ｍａ）に、上方から覆うように着脱自在に取着することを特徴とするディスプレイ構造。
【請求項２】
上壁（10）と下方拡径状の円周壁（11）とを有するキャップ部材（１）を、頭部を省略された人体を象った被取付体（Ｍ）の首部（Ｍａ）に、上方から覆うように着脱自在に取着するように構成し、さらに、上記キャップ部材（１）に上記被取付体（Ｍ）の胸部（Ｍｂ）を覆う胸カバー部（13）を一体状に延設し、上記首部（Ｍａ）及び上記胸部（Ｍｂ）を覆うように構成したことを特徴とするディスプレイ構造。
【請求項３】
上記キャップ部材（１）と上記被取付体（Ｍ）とを、脱落防止手段（20）にて着脱自在に取着する請求項１又は２記載のディスプレイ構造。
【考案の詳細な説明】
【技術分野】
【０００１】
本考案は、衣類をディスプレイする構造に関する。
【背景技術】
【０００２】
従来、衣類を展示する際に、特許文献１記載のようなディスプレイ用のマネキンやトルソー等の人の体を象った（模した）被取付体に、衣類を装着して展示していた。そして、被取付体に衣類を装着した際に、衣類に被覆されず露出する部分があった。これらの露出部は、ディスプレイの美観や演出に影響を及ぼしていた。例えば、白いＴシャツを展示する際に、首元の露出部が肌が焼けたような小麦色であれば、そのＴシャツが夏用であり、海辺等で着ることに合っているような印象を購買者へ与えることで、ディスプレイの効果を高めていた。つまり、展示すべき衣類の色や柄（模様）を引き立たせる効果があるため、被取付体は、衣類のテーマ等の演出に合った質感及び美観を有するものがその都度選択されディスプレイされることが望まれていた。
【特許文献１】特開２００３−７９４９４号公報
【考案の開示】
【考案が解決しようとする課題】
【０００３】
衣類のディスプレイをおこなう際やテーマの変更、演出等を行う際に、衣類のイメージや演出に合った質感を有する被取付体を用意するには多大な費用が発生すると共に、被取付体を入れ換える作業や再設置するには多大な時間と労力が費やされるという問題があった。また、衣類や演出に合った被取付体を選択する際に、様々な質感の被取付体に衣類を試着させる必要があった。
【０００４】
そこで、本考案は、美観を損ねず、衣類や展示の演出に合ったディスプレイを容易かつ迅速に行うことが可能なディスプレイ構造の提供を目的とする。
【課題を解決するための手段】
【０００５】
本考案に係るディスプレイ構造は、上壁と下方拡径状の円周壁とを有するキャップ部材を、頭部を省略された人体を象った被取付体の首部に、上方から覆うように着脱自在に取着するものである。
【０００６】
また、上壁と下方拡径状の円周壁とを有するキャップ部材を、頭部を省略された人体を象った被取付体の首部に、上方から覆うように着脱自在に取着するように構成し、さらに、上記キャップ部材に上記被取付体の胸部を覆う胸カバー部を一体状に延設し、上記首部及び上記胸部を覆うように構成したものである。
【０００７】
また、上記キャップ部材と上記被取付体とを、脱落防止手段にて着脱自在に取着するものである。
【考案の効果】
【０００８】
本考案のディスプレイ構造によれば、被取付体に衣類を装着させた際に、衣類から露出する部分の質感を様々な質感に変化させることができる。衣類から露出する首部を、衣類や展示の演出に合った質感に容易かつ迅速に交換できる。一体の被取付体を様々な演出のディスプレイに使用できる。
【考案を実施するための最良の形態】
【０００９】
以下、図面に基づき本考案を詳説する。
図１は、本考案のディスプレイ構造の第１の実施の形態を説明する斜視図である。図２は、その要部拡大図である。
本考案のディスプレイ構造の第１の実施の形態は、頭部を省略された人体を象った被取付体Ｍの首部Ｍａに、円形の上壁10と下方拡径状の円周壁11とを有するキャップ部材１を、施蓋状に取着する構造である。
【００１０】
被取付体Ｍは、頭部を省略した人体の上半身を象った人形の模型であり、少なくとも首部Ｍａと胸部Ｍｂを有している。
また、首部Ｍａには、外周に廻り止めを有する金属製のナット部材が埋設され、首部Ｍａの上面ａに雌ネジ部22を形成している。また、首部Ｍａの上面ａでは、被取付体Ｍを覆う布生地の端部が折曲げられ金具にて固着されている。
【００１１】
キャップ部材１は、首部Ｍａの上面ａを施蓋する円形状の上壁10と、被取付体Ｍの首部Ｍａの外周を覆う下方拡径テーパー状の円周壁11と、を有するカップ状に形成されている。上壁10の内面側には、ボルト部材が下方突出状に固着された雄ネジ部21が設けられている。なお、円周壁11の下方端縁は、首部Ｍａに取着した状態で首元に沿うようなフレア状（ラッパ状）に形成されているのが望ましい。
【００１２】
キャップ部材１の雄ネジ部21は、被取付体Ｍの首部Ｍａの上面ａに形成されている雌ネジ部22に螺合可能なものである。キャップ部材１の雄ネジ部21と被取付体Ｍの雌ネジ部22とは、共働きして（螺合して）被取付体Ｍからキャップ部材１が脱落するのを防止するものである。つまり、第１の実施の形態のディスプレイ構造は、キャップ部材１の雄ネジ部21と被取付体Ｍの雌ネジ部22とから成る脱落防止手段20を有している。
【００１３】
また、キャップ部材１の上壁10及び円周壁11は、樹脂（ＡＢＳ樹脂、ＰＥ樹脂、ＰＰ樹脂等）から成る一体成形品である。
また、上壁10及び円周壁11の外周面は、買い物客等の購買者に、樹脂とは異なる質感を感じさせる為に、着色又はシートやシール又は生地や革皮等が取着（接着、貼着等）されている。キャップ部材１は、上壁10及び円周壁11の外周面が、やわらかな温かみを感じさせる木目調の柄を有するものであったり、ストイックでクールに感じさせる金属調のシルバーメッキに塗装されたものであったりと、色や柄及び光沢等が異なる多種類（金色、黒色、大理石柄等）のものがある。つまり、キャップ部材１は、被取付体Ｍに対して、交換自在である。
【００１４】
上述した本考案のディスプレイ構造の第１の実施の形態の使用法（作用）について説明する。
図１と図２に於て、被取付体Ｍの首部Ｍａの上方から、首部Ｍａの上面ａを覆うように、キャップ部材１を被取付体Ｍに螺着する。キャップ部材１と被取付体Ｍとは、脱落防止手段20にて着脱自在に取着されると共に、不容易な脱落（不本意な取り外れ）が防止される。
【００１５】
図３に示すように、被取付体Ｍに、キャップ部材１が取着されると、キャップ部材１は、被取付体Ｍの首部Ｍａを覆う。キャップ部材１によって被取付体Ｍの首部Ｍａの周囲（上面ａ及び外周）が覆われる。被取付体Ｍの上面ａの金具や布生地の折り返し部等の美観を損ねる部分は、施蓋され、隠される。首部Ｍａが、キャップ部材１に置き換えた（差し替えた）ような状態になる。つまり、被取付体Ｍの首部Ｍａ近傍は、首部Ｍａの素材が有する質感（色や柄、光沢等）から、キャップ部材１の質感に変更される。
なお、円周壁11の下方端縁を、首元に沿うようなフレア状に形成しておけば、首元近傍に急なくびれ部や段差部を形成することなく、胸部近傍に滑らかに接する。
【００１６】
図４に示すように、キャップ部材１が取着された被取付体Ｍに、衣類Ｙが被覆されると、衣類Ｙの襟元近傍は、被取付体Ｍの首部Ｍａではなく、キャップ部材１の上壁10及び円周壁11が露出する。つまり、キャップ部材１は、被取付体Ｍがあたかもキャップ部材１の質感を有しているように見せる。購買者等に、ディスプレイ状態の外観を被取付体Ｍの質感ではなくキャップ部材１の質感に感じさせる。キャップ部材１の質感によって衣類Ｙは演出される（引き立たされる）。
【００１７】
また、キャップ部材１は、衣類Ｙを全て脱がすことなく、被取付体Ｍに被覆（装着）させた状態で、キャップ部材１は上方へ取り外される。そして、衣類Ｙをより演出する色等と合うキャップ部材１に交換される。つまり、キャップ部材１は、自由に交換される。
【００１８】
また、本考案のディスプレイ構造の第１の実施の形態は、衣替え等で、衣類の色等が変わっても、高価で大型な被取付体Ｍを交換することなく、季節に合った質感を有するキャップ部材１を、被取付体Ｍに取着することで、被取付体Ｍ全体を交換することなく所望の演出効果を発揮する。
【００１９】
即ち、本考案のディスプレイ構造の第１の実施の形態は、被取付体Ｍを、演出のテーマに合った質感を有するものでなくとも、キャップ部材１の質感を被取付体Ｍの質感と購買者等に感じさせ、演出効果を高め購買意欲を引き出す。
【００２０】
次に、本考案の第２の実施の形態について説明する。
図５は、本考案のディスプレイ構造の第２の実施の形態を説明する側面図である。図６は、第２の実施の形態に用いるキャップ部材１の一例を示す正面図である。
本考案のディスプレイ構造の第２の実施の形態は、頭部を省略された人体を象った被取付体Ｍに、円形の上壁10と下方拡径状の円周壁11とを有すると共に被取付体Ｍの胸部Ｍｂを覆う胸カバー部13が延設されたキャップ部材１を、取着する構造である。
【００２１】
被取付体Ｍは、頭部を省略した人体の上半身を象った人形の模型（トルソー等）であり、少なくとも首部Ｍａと胸部Ｍｂを有している。
また、首部Ｍａには、外鍔部を有する円筒形部材が埋設され、首部の上面ａに差込孔部26を形成している。また、首部Ｍａの上面ａでは、被取付体Ｍを覆う布生地の端部が折曲げられ金具にて固着されている。
【００２２】
キャップ部材１は、首部Ｍａの上面ａを施蓋する円形状の上壁10と、被取付体Ｍの首部Ｍａの外周を覆う下方拡径テーパー状の円周壁11と、を有するカップ部12を形成している。カップ部12から下方突出状に、被取付体Ｍの胸部Ｍｂを覆う胸カバー部13を一体状に延設している。つまり、第２の実施の形態のディスプレイ構造のキャップ部材１は、被取付体Ｍの胸部Ｍｂを覆う胸カバー部13を有している。
胸カバー部13は、被取付体Ｍに取着状態で、被取付体Ｍの胸部Ｍｂ近傍の鎖骨部や首元部を覆うように人体の胸を模した（象った）形状に形成されている。
【００２３】
上壁10は、内面側に、金属製の棒状部材が下方突出状に固着された差込杆部25が設けられている。キャップ部材１の差込杆部25は、被取付体Ｍの首部Ｍａの上面ａに形成されている差込孔部26に挿入可能なものである。キャップ部材１の差込杆部25と被取付体Ｍの差込孔部26とは、共働きして（嵌挿して）被取付体Ｍからキャップ部材１が脱落するのを防止するものである。つまり、第２の実施の形態のディスプレイ構造は、キャップ部材１の差込杆部25と被取付体Ｍの差込孔部26とから成る脱落防止手段20を有している。なお、この差込杆部25と差込孔部26とから成る脱落防止手段20を、図１，図２等に採用するも、好ましい。さらに、この差込杆部25としては、軸心方向に複数本のスリットを形成して、外径が弾発的に縮径可能とし、かつ、抜け止め小凸隆子を外周に突出形成すると共に、孔部26側に係止用凹部又は係止端部を形成して、相互に、係止して、抜け止め（脱落防止）とするのが良い。
【００２４】
また、キャップ部材１のカップ部12（上壁10と円周壁11）及び胸カバー部13は、樹脂（ＡＢＳ樹脂、ＰＥ樹脂、ＰＰ樹脂等）から成る一体成形品である。
また、カップ部12（上壁10と円周壁11）及び胸カバー部13の外周面は、買い物客等の購買者に、樹脂とは異なる質感を感じさせる為に、着色又はシートやシール又は生地や革皮等が取着（接着、貼着等）されている。キャップ部材１は、カップ部12及び胸カバー部13の外周面が、木目調の柄を有するものであったり、シルバーメッキに塗装されたものであったりと、色や柄及び光沢等が異なる多種類（金色、黒色、小麦色、大理石柄等）のものがある。つまり、キャップ部材１は、被取付体Ｍに対して、交換自在である。
【００２５】
上述した本考案の第２の実施の形態の使用方法（作用）について説明する。
被取付体Ｍの首部Ｍａの上方から、首部Ｍａの上面ａを覆うように、キャップ部材１を被取付体Ｍに被せる。差込孔部26に差込杆部25が差し込まれ、キャップ部材１と被取付体Ｍとは、着脱自在に取着されると共に、不容易な脱落（不本意な取り外れ）が防止される。言い換えると、脱落防止手段20によって脱落が防止される。
【００２６】
被取付体Ｍに、胸カバー部13を有するキャップ部材１が取着されると、キャップ部材１のカップ部12は、被取付体Ｍの首部Ｍａを覆う。また、胸カバー部13は、被取付体Ｍの胸部Ｍｂを覆う。キャップ部材１によって被取付体Ｍの首部Ｍａの周囲（上面ａ及び外周）及び胸部Ｍｂが覆われる。被取付体Ｍの上面ａの金具や布生地の折り返し部等の美観を損ねる部分は、施蓋され、隠される。首部Ｍａ及び胸部Ｍｂの正面側が、キャップ部材１に置き換えた（差し替えた）ような状態になる。被取付体Ｍの首部Ｍａ及び胸部Ｍｂ近傍は、被取付体Ｍの素材が有する質感（色や柄、光沢等）から、キャップ部材１の質感に変更される。
【００２７】
胸カバー部13を有するキャップ部材１が取着された被取付体Ｍに、胸元の開いた衣類が被覆されると、衣類の襟元近傍及び胸元近傍は、被取付体Ｍではなく、キャップ部材１のカップ部12（上壁10と円周壁11）及び胸カバー部13が露出する。つまり、キャップ部材１は、被取付体Ｍがあたかもキャップ部材１の質感を有しているように見せる。購買者等に、ディスプレイ状態の外観を被取付体Ｍの質感ではなくキャップ部材１の質感に感じさせる。キャップ部材１の質感によって胸元の開いた衣類は演出される（引き立たされる）。
【００２８】
また、胸カバー部13を有するキャップ部材１は、衣類を全て脱がすことなく、被取付体Ｍに被覆（装着）させた状態で、キャップ部材１は上方へ取り外される。そして、衣類をより演出する色等と合うキャップ部材１に交換される。つまり、キャップ部材１は、自由に交換される。
【００２９】
また、本考案のディスプレイ構造の第２の実施の形態は、衣替え等で、衣類の色や柄等が変わっても、高価で大型な被取付体Ｍを交換することなく、季節に合った質感を有するキャップ部材１を、被取付体Ｍに取着することで、被取付体Ｍ全体を交換することなく所望の演出効果を発揮する。
【００３０】
即ち、本考案のディスプレイ構造の第２の実施の形態は、被取付体Ｍを、演出のテーマに合った質感を有するものでなくとも、キャップ部材１の質感を被取付体Ｍの質感と購買者に感じさせ、演出効果を高め購買意欲を引き出す。
【００３１】
なお、本考案は、設計変更可能であって、例えば、被取付体Ｍは、少なくとも首部Ｍａと胸部Ｍｂを有していれば、上述した形状に限らず、腕部や腰部、脚部を有するものや頭部を省略されたマネキン等自由である。
また、脱落防止手段20は、上述した実施の形態に限らず、例えば、キャップ部材１に係止片を有する差込軸部を設け、被取付体Ｍの首部Ｍａに係止溝を有する差込溝孔部設け、差込軸部と差込溝孔部とから成るように構成しても良い。
また、被取付体Ｍに設けられた雌ネジ部22や差込孔部26は、人体の頭部を象った模型や飾り部材を取着するものと共用（併用）しても良い。
【００３２】
以上のように、本考案は、上壁10と下方拡径状の円周壁11とを有するキャップ部材１を、頭部を省略された人体を象った被取付体Ｍの首部Ｍａに、上方から覆うように着脱自在に取着するので、被取付体Ｍに衣類を装着させた（着せた）際に、露出する首部Ｍａの外周面を隠し、替わりにキャップ部材１の上壁10及び円周壁11の外周面を露出させることがでる。つまり、被取付体Ｍの首部Ｍａの質感をキャップ部材１の質感にすることができる。よって、被取付体Ｍの衣類から露出する部分の質感を変化させることができる。容易かつ迅速にテーマに合わせることができる。テーマに合った被取付体Ｍを複数体用意する必要がなく、展示すべき衣類とのマッチングを容易に行うことができる。容易に演出を変更することができる。また、布生地の折り返し部や樹脂露出部等が形成される首部Ｍａの上面ａを施蓋状に隠して美観が損なわれるのを防止できる。軽量小型で安価なキャップ部材１を着せ替えることで、一体の被取付体Ｍを様々な演出のディスプレイに使用できる。つまり、大型で高価な被取付体Ｍを多種大量に所持・保管する必要がなくなり管理コストを軽減できる。
【００３３】
また、上壁10と下方拡径状の円周壁11とを有するキャップ部材１を、頭部を省略された人体を象った被取付体Ｍの首部Ｍａに、上方から覆うように着脱自在に取着するように構成し、さらに、キャップ部材１に被取付体Ｍの胸部Ｍｂを覆う胸カバー部13を一体状に延設し、首部Ｍａ及び胸部Ｍｂを覆うように構成したので、被取付体Ｍに衣類を装着させた（着せた）際に、露出する首部Ｍａ及び胸部Ｍｂの外周面を隠し、替わりにキャップ部材１の上壁10や円周壁11及び胸カバー部13の外周面を露出させることができる。つまり、被取付体Ｍの首部Ｍａ及び胸部Ｍｂの質感をキャップ部材１の質感にすることができる。よって、被取付体Ｍの衣類から露出する部分の質感を変化させることができる。容易かつ迅速にテーマに合わせることができる。テーマに合った被取付体Ｍを複数体用意する必要がなく、展示すべき衣類とのマッチングを容易に行うことができる。容易に演出を変更することができる。また、布生地の折り返し部や樹脂露出部等が形成される首部Ｍａの上面ａを施蓋状に隠して美観が損なわれるのを防止できる。軽量小型で安価なキャップ部材１を着せ替えることで、一体の被取付体Ｍを様々な演出のディスプレイに使用できる。つまり、大型で高価な被取付体Ｍを多種大量に所持・保管する必要がなくなり管理コストを軽減できる。また、襟元や胸元の開いた衣服に対応できる。また、衣類に限らず、ネックレス等の胸元用のアクセサリーの展示の演出を高めることができる。
【００３４】
また、キャップ部材１と被取付体Ｍとを、脱落防止手段20にて着脱自在に取着するので、被取付体Ｍの移動の際に、キャップ部材１が脱落するのを防止できる。キャップ部材１を被取付体Ｍの所定の位置に着脱自在に取着できる。  
【図面の簡単な説明】
【００３５】
【図１】第１の実施の形態を説明する斜視図である。
【図２】第１の実施の形態を説明する要部拡大斜視図である。
【図３】第１の実施の形態を示す要部拡大斜視図である。
【図４】第１の実施の形態の作用を説明する要部拡大図である。
【図５】第２の実施の形態を説明する側面図である。
【図６】第２の実施の形態に用いるキャップ部材を示す正面図である。
【符号の説明】
【００３６】
１  キャップ部材
10  上壁
11  円周壁  
13  胸カバー部  
20  脱落防止手段
Ｍ  被取付体
Ｍａ  首部
Ｍｂ  胸部
【図１】
0003142423.tif 000003
【図２】
0003142423.tif 000004
【図３】
0003142423.tif 000005
【図４】
0003142423.tif 000006
【図５】
0003142423.tif 000007
【図６】
0003142423.tif 000008